(57)【要約】【課題】  聴覚的に報知するモードと聴覚的に報知するものではないモード（消音モード）を使用者側で簡単に選択でき、自らの嗜好や周囲の状況に応じて適切に体温測定終了を報知することができる電子体温計を提供する。【解決手段】  本発明による電子体温計は、被測定部位の温度を検出して経時変化に基づいて体温を算出・提示する電子体温計であって、体温測定終了時にブザー音で終了を報知する第１のモード(通常モード)とブザー音以外で終了を報知する第２のモード（消音モード）を選択する選択手段と、温度上昇を検知し、体温測定を実行する体温測定手段と、前記体温測定手段による体温測定が終了した場合に、前記選択手段で選択されたモードに従って測定終了を報知する報知手段と、を備えることを特徴とする。【選択図】  図３
2007024591.tif 000002
【特許請求の範囲】
【請求項１】
被測定部位の温度を検出して経時変化に基づいて体温を算出・表示する電子体温計であって、
体温測定終了時にブザー音で終了を報知する第１のモードとブザー音以外で終了を報知する第２のモードを選択する選択手段と、
温度上昇を検知し、体温測定を実行する体温測定手段と、
前記体温測定手段による体温測定が終了した場合に、前記選択手段で選択されたモードに従って測定終了を報知する報知手段と、
を備えることを特徴とする電子体温計。
【請求項２】
前記報知手段は、前記第２のモードが選択された場合、光で体温測定終了を報知することを特徴とする請求項１に記載の電子体温計。
【請求項３】
前記報知手段は、電子体温計の表示部におけるバックライトを点滅させることによって体温測定終了を報知することを特徴とする請求項２に記載の電子体温計。
【請求項４】
前記報知手段は、前記体温測定手段による体温測定時間の少なくとも半分の時間、体温測定終了を報知することを特徴とする請求項２又は３に記載の電子体温計。
【請求項５】
前記選択手段によって選択されたモードに関する表示が、電子体温計の表示部に表示されることを特徴とする請求項１乃至４の何れか１項に記載の電子体温計。
【請求項６】
前記選択手段は、電子体温計の電源スイッチが所定時間長押しされたことを検知することによって前記第２のモードに設定することを特徴とする請求項１に記載の電子体温計。
【発明の詳細な説明】
【技術分野】
【０００１】
本発明は電子体温計に関し、より詳しくは、例えばブザー音や光などの報知手段の切換機能を有する電子体温計に関するものである。
【背景技術】
【０００２】
現在広く普及している電子体温計の多くは、体温予測機能を備えている。体温予測機能は、実測検温に比べて短時間、例えば１分３０秒から２分程度で体温を予測し、利用者に予測体温を迅速に提供するものである。
【０００３】
この体温予測では、温度上昇率が所定値以下になった場合には温度が平衡状態にあると判断し、予測終了を利用者に知らせるためにブザーを鳴らすようにして使用者の聴覚に訴えものが多い（特許文献１）。
【０００４】
また、耳式体温計でもブザー音で報知するものが主流であるが、短時間計測を可能としているため、発光素子を光らせて使用者の視覚に訴えるものもある（特許文献２）。これは、耳式体温計が使用者の耳元で使用されることからブザー音による不快感を使用者に与えないようにするためのものである。また、就寝中の乳幼児の体温を測定する際に起こさないで測定したいという要望や、病棟及び複数の家族が寝ている場合等に他者へ気兼ねなく測定したいという要望に応えるものでもある。
【特許文献１】特開平７−５５５８３
【特許文献２】特開２００１−３４０３０２
【発明の開示】
【発明が解決しようとする課題】
【０００５】
最近では、腋下用体温計でも短時間に体温計測可能なものが発売されている。これに伴い、腋下用体温計でも、特許文献２で開示されているような視覚に訴えることにより体温測定終了を使用者に知らせる機能を備えることが要望されている。
【０００６】
しかしながら、腋下用体温計の場合、通常、測定時には体温計本体が衣類の下に隠れてしまうため、常に注視していることは出来ない。逆に、無理な姿勢で常に注視することにより、体温計が正常な装着位置からずれて誤差や誤動作の原因にもなりうるため、使用者にそのような態勢を取らせることは避けなければならない。
【０００７】
その一方で、ブザー音で報知するしかない場合には、前述のように使用者に不快感を与えたり、周囲への迷惑になることもある。体温計で用いられるブザー音は必然的に使用者に注意を喚起するためのものであるため、それ程心地よい音ではないからである。
【０００８】
本発明はこのような問題点に鑑みてなされたものであり、聴覚的に報知するモード（第１のモード）と聴覚的に報知するものではない第２のモード（消音モード）を使用者側で簡単に選択でき、自らの嗜好や周囲の状況に応じて適切に体温測定終了を報知することができる電子体温計を提供するものである。
【課題を解決するための手段】
【０００９】
上記目的を達成するため、本発明による電子体温計は、被測定部位の温度を検出して経時変化に基づいて体温を算出・表示する電子体温計であって、体温測定終了時にブザー音で終了を報知する第２のモード(通常モード)とブザー音以外で終了を報知する第２のモード（消音モード）を選択する選択手段と、温度上昇を検知し、体温測定を実行する体温測定手段と、前記体温測定手段による体温測定が終了した場合に、前記選択手段で選択されたモードに従って測定終了を報知する報知手段と、を備えることを特徴とする。
【００１０】
前記報知手段は、前記消音モードが選択された場合、光で体温測定終了を報知する。より詳しくは、前記報知手段は、電子体温計の表示部におけるバックライトを点滅させることによって体温測定終了を報知するようにしてもよい。
【００１１】
そして、前記報知手段は、前記体温測定手段による体温測定時間の少なくとも半分の時間、体温測定終了を報知する。
【００１２】
また、前記選択手段によって選択されたモードに関する表示が、電子体温計の表示部に表示される。
【００１３】
さらに、前記選択手段は、電子体温計の電源スイッチが所定時間長押しされたことを検知することによって前記第２のモード（消音モード）に設定するようにする。
【００１４】
その他の本発明の特徴は、以下の発明を実施するための最良の形態の記載及び添付図面により明らかになるものである。
【発明の効果】
【００１５】
本発明の電子体温計によれば、聴覚的に報知するモード(第１のモード)と聴覚的に報知するものではないモード（第２のモード：消音モード）を使用者側で簡単に選択でき、自らの嗜好や周囲の状況に応じて適切に体温測定終了を報知することができるようになる。
【発明を実施するための最良の形態】
【００１６】
本発明は、ブザー音を鳴らして体温測定終了を報知する第１のモード(通常モード)とブザー音を用いずに体温測定終了を報知する第２のモード（消音モード）を適宜選択できる電子体温計に関するものである。以下添付図面を参照して本発明に係る実施形態について、説明する。
【００１７】
＜電子体温計外観について＞
図１は、本実施形態の電子体温計１００の外観を示す図で、図１（ａ）は、平面図、図１（ｂ）は、側面図、図１（ｃ）は、背面図である。２は、本体ケースで、後述する演算制御部２０等の電子回路、ブザー３１、電池(電源部)４０等が収納されている。３は、ステンレス製の金属キャップで、体温測定に必要なサーミスタ１３(図２参照)等を含む温度計測部を接着剤で固定して収納している。本体ケース２と金属キャップ３は接着剤を介して液密に固定されている。この本体ケース２は、リン酸ジルコニウム銀化合物をほぼ１〜２．５重量％含むスチレン系樹脂（ハイインパクトスチロール，ＡＢＳ樹脂）、ポリオレフィン系樹脂（ポリプロピレン、ポリエチレン）等で形成されて、表示部３０を覆う透明の窓部２ｄとは好ましくは二色成形で形成されている。
【００１８】
窓部２ｄは、透明樹脂であるポリスチレン、ブタジエン・スチレン共重合体等のスチレン系樹脂；ポリ−２−メチルペンテン、ポリプロピレン等のポリオレフィン系樹脂；ポリメチルメタクリレート等のアクリル系樹脂；セルロースアセテート等のセルロースエステル；ポリエチレンテレフタレート等のポリエステル等から形成される。本体ケース２の金属キャップ３の反対側には電源ＯＮ／ＯＦＦスイッチ(電源スイッチ)４が設けられている。
【００１９】
また、本体ケース２の背面には、凹部２ａが設けられ、検温後の電子体温計を容易に把持し、取出しやすくしている。２ｂ，２ｃは滑りどめ部で、検温時に電子体温計がずれないようになっている。３０ａは、予測モードを表示する予測モード表示部、３０ｂは、ブザー音の発生を行なわない、いわゆる第２のモード（消音モード）を表示する消音モード表示部であり、その旨を示す文字、記号、シンボルマークなどで表示される。
【００２０】
ブザー音を発生させる第１のモード(通常モード)では、消音モード表示部３０ｂには、文字、記号、シンボルマークなどで第２のモードの場合とは別の形状で表示してもよいし、表示しないようにしてもよい。電源ＯＮ／ＯＦＦスイッチ４は、この第１のモードと第２のモードのいずれかを選択するためのモード選択手段としての機能も有している。
【００２１】
＜電子体温計の回路構成について＞
図２は、本実施形態の電子体温計１００における体温測定を実行するための回路構成を示すブロック図である。
【００２２】
本電子体温計１００は温度を計測し、それをデジタル値として出力する温度計測部１０と、計測された温度から予測温度を演算すると共に本電子体温計１００を制御する演算制御部２０と測定結果を表示する表示部３０とブザー３１とから構成される。
【００２３】
温度計測部（温度測定手段）１０は、並列に接続された感温部に設置されたサーミスタ１３及びコンデンサ１４と、測温用のＣＲ発振回路１１からなり、サーミスタ１３の温度に対応してカウンタ１６のカウント量が変化することにより、温度をデジタル量として出力する。
【００２４】
演算制御部２０は、体温測定に必要なパラメータを格納したＥＥＰＲＯＭ２２ａ、計測温度を時系列で記憶するためのＲＡＭ２３、予測式などのプログラムを格納したＲＯＭ２２、表示部３０を制御するための表示制御部３０ｄ、測温用ＣＲ発振回路１１の発振信号をカウントするカウンタ１６、ＲＯＭ２２のプログラムに従いＥＥＰＲＯＭ２２ａに書かれた条件で演算を行なう演算処理部２１、カウンタ１６，演算処理部２１，表示制御部３０ａを制御する制御回路５０とからなる。
【００２５】
ブザー３１は、例えば検温終了時に、検温終了を利用者に報知するために、ＲＯＭ２２に格納されている、ブザー音を出力する。
【００２６】
尚、本電子体温計の構成は一例であって、これに限る必要はない。本実施形態では特に予測式電子体温計のブロック構成を示しているが、予測演算の有無に限られず、本発明は適用可能であることに注意すべきである。
【００２７】
＜報知モード制御について＞
続いて、体温測定終了を使用者に報知するための報知モード制御の動作について説明する。
【００２８】
図３は、体温測定終了時の報知モード設定及び設定されたモードに基づいて使用者に測定終了を報知する動作を説明するためのフローチャートである。なお、ここでフローチャートの制御主体は、特に断らない限りＣＰＵ２１である。
【００２９】
ステップＳ１０１において電子体温計１００の電源ＯＮ／ＯＦＦスイッチ４を押すことにより、電源がＯＮになると、ステップＳ１０２で電源がＯＮとなってからの経過時間ｔ１を計算し始める。
【００３０】
そして、ステップＳ１０３では、押下された電源ＯＮ／ＯＦＦスイッチ４の状態を検知する。ここで、電源ＯＮ／ＯＦＦスイッチ４の状態とは、電源ＯＮ／ＯＦＦスイッチ４が所定秒(例えば３秒)押下されたままか、或いは押下されて直ぐに指が離されたかを指すものとする。
【００３１】
ステップＳ１０４では、電源ＯＮ／ＯＦＦスイッチ４の状態、つまり電源ＯＮ／ＯＦＦスイッチ４が押されたままか否かを判断する。電源ＯＮ／ＯＦＦスイッチ４が押されたままでないと判断されれば、処理はステップＳ１０５に移行し、そこで報知モードが第１のモード（通常モード）に設定される。電源ＯＮ／ＯＦＦスイッチ４が押されたままと判断されれば、処理はステップＳ１０６に移行する。
【００３２】
ステップＳ１０６では、電源ＯＮ／ＯＦＦスイッチ４が押されたまま所定秒(例えば３秒)以上経過したか否かが判断される。所定秒（３秒）以上経過していれば処理はステップＳ１０７に移行し、報知モードが第２のモード（消音モード）に設定される。そして、処理はステップＳ１０８に移行し、ここで、表示部３０に消音モードマークが点灯するように処理される。
【００３３】
ステップＳ１０６で電源ＯＮ／ＯＦＦスイッチ４が押されてからまだ所定秒（例えば３秒）経過していないと判断された場合には、処理はステップＳ１０９に移行し、さらに電源ＯＮ／ＯＦＦスイッチ４の状態が判断される。
【００３４】
ステップＳ１０９で、電源ＯＮ／ＯＦＦスイッチ４が押されたままであると判断されれば処理は再度ステップＳ１０６に移行する。電源ＯＮ／ＯＦＦスイッチ４が押されたままでないと判断されれば、処理はステップＳ１０５に移行し、報知モードが通常モードに設定される。なお、設定された報知モードに関連した表示（マーク）が、表示部３０に表示される。
【００３５】
このように報知モードが設定された後は、処理はステップＳ１１０に移行し、通常の体温測定動作が実行される。上述のように例えば予測方式による体温測定動作であってもよい。この予測方式では、初期温度の経時変化をモニタリングし、その変化の様子に従って温度上昇傾向を群分けする。この群分け以降の所定期間の経時変化をモニタリングし、その変化が大きい場合にはさらに一度決定した群分けを変更することもできる。そして、決定した群に対応する予測演算式により体温の予測値を決定する。なお、前述の通り、体温測定は予測方式に限らず実測方式等別の方式であってもよい。
【００３６】
ステップＳ１１１では、検温中の温度が平衡温度に到達したか否かを判定する。平衡温度に到達していなければ体温測定動作を続行する。平衡温度に達していれば、処理はステップＳ１１２に移行し、体温測定動作は終了する。
【００３７】
そして、ステップＳ１１３では、設定されている報知モードを確認する。つまり、ステップＳ１０５或いはステップＳ１０７で設定され、ＲＡＭ２３に格納された報知モードが第１のモード(通常モード)か第２の(消音モード)かが確認される。
【００３８】
ステップＳ１１４では、ステップＳ１１３で確認された報知モードに従って、利用者に体温測定終了を報知するとともに、測定結果を表示部３０に表示する。つまり、通常モードの場合にはブザー音で体温測定終了を報知し、第２のモード（消音モード）の場合にはブザー音ではなく光やバイブレーションによって体温測定終了を報知する。
【００３９】
そして、ステップＳ１１５では、測定終了を報知してから所定の設定時間が経過したかを判定し、経過していなければ報知を続行し、経過していれば処理を終了する。この設定時間については、上述の予測方式によって体温測定値が取得するまでの時間（予測時間）の半分以上に設定されている。予測時間が測定毎に大きく変動する場合には、報知のための設定時間を適応的に変動させても良い。具体的には体温測定開始から終了までの時間を計測し、その計測値から設定時間を算出して報知するように制御すればよい。なお、所定の設定時間経過前に体温計が測定部位から取り出されたことを検知した場合（例えば、測定終了後に急激な温度低下を検知した場合）には報知を強制的に終了するようにしても良い。
【００４０】
光で測定終了を報知する場合には、例えば表示部（ＬＣＤ）３０のＬＥＤ（バックライト）３０ｃを点灯或いは点滅させたりする。そして、図４は光を点滅させて報知する場合の具体例を示す図である。
【００４１】
図４Ａ及びＢは、予測式体温測定が完了した後３０秒間、表示部３０のＬＥＤ（バックライト）３０ｃを点滅させることにより測定終了を報知する動作を示している。
【００４２】
図４Ａは、１秒間に２回連続でＬＥＤ（バックライト）３０ｃが点滅する場合を示している。図示するように点灯時間は０．１秒であり、０．１秒間消灯した後０．１秒間再度点灯する。これが３０秒間続くので、合計６０回の点滅があることになる。図４Ｂは、単純に１秒間に１回ＬＥＤ（バックライト）３０ｃが点滅する場合を示している。この場合には、３０秒間に合計３０回の点滅があることになる。なお、点滅の態様を選択できるようにしても良い。また、ＬＥＤ（バックライト）３０ｃの点滅パターンを変えることにより、エラー、平衡温予測成立、１０分定時の報知を行なうようにしてもよい。
【００４３】
＜実施形態の効果＞
以上のように、本実施形態によれば、使用者は第１のモード（通常モード）と第２のモード（消音モード）とを適宜かつ容易に選択することができるので、周囲の環境等に使用態様を合わせることができ、非常に使い勝手のよい電子体温計を提供することができる。
【００４４】
また、体温測定終了後、比較的長時間光を用いて使用者に測定終了の報知を行うことで、測定終了後であれば使用者がいつ衣類の下の体温計を確認しても測定終了を認知することが出来る。従って、使用者は、測定終了のタイミングを見つけるために頻繁に体温計の状態を確認する必要が無くなり、体動による無用の誤差や誤動作を低減することが可能となる。
【００４５】
さらに、長時間光による報知を行う場合、点滅動作を繰り返すことで、長時間光を点灯させる場合に比べて、報知による電力の消費及び電子体温計の使用可能回数の低下を極力抑えることができる。また、腋下や口中という測定部位からの取り出しを検知した場合には報知動作を強制終了させることによっても消費電力を抑えることができる。
【図面の簡単な説明】
【００４６】
【図１】本実施形態が適用可能な電子体温計の外観を示す図である。
【図２】本実施形態の電子体温計の構成を示すブロック図である。
【図３】本実施形態による、体温測定終了を報知する動作を説明するためのフローチャートである。
【図４】光の点滅で報知する２種類のパターンを例示する図である。
【図１】
2007024591.tif 000003
【図２】
2007024591.tif 000004
【図３】
2007024591.tif 000005
【図４】
2007024591.tif 000006